(57)【要約】【課題】湯を注いだときに蓋体の湯への接触を遮断して熱の伝わりを軽減し、蓋体を重ねたときに互いの嵌合を阻止する。【解決手段】蓋体Ａは、天板１１と、天板１１の外周に立ち上がり容器本体１に取り付けた際に開口縁１ｂに外嵌する立設縁１２と、容器本体１１の開口縁１ｂに裏面が接する天板の周縁部１３と、立設縁１２と平行に形成され、天板１１の表面側で溝となり裏面側で突条となり、容器本体１の開口縁１ｂに内嵌するグリップ１４と、天板１１の中央部と周縁部１２との間に形成されるブリッジ１５を有する。前記蓋体Ａに於いて、グリップ１４の表面側の溝内に、溝縁から内側に突出し且つ位置の異なる凸部１６を形成する。【選択図】        図１
2005280732.tif 000002
【特許請求の範囲】
【請求項１】
合成樹脂シートを真空成形又は圧空成形してなるインスタント食品用容器の蓋体であって、
天板と、
該天板の外周に立ち上がり、前記蓋体を容器本体に取り付けた際に該容器本体の開口縁に外嵌する立設縁と、
前記容器本体の開口縁に裏面が接する天板の周縁部と、
前記立設縁と平行に形成され、前記天板の表面側で溝となり裏面側で突条となる、前記蓋体を前記容器本体に取り付けた際に該容器本体の開口縁に内嵌するグリップと、
前記天板の中央部と前記周縁部との間に形成されるブリッジを有することを特徴とするインスタント食品用容器の蓋体。
【請求項２】
請求項１記載のインスタント食品用容器の蓋体であって、
前記蓋体は長方形を有し、前記ブリッジは、少なくとも対向する２片の夫々に形成されることを特徴とするインスタント食品用容器の蓋体。
【請求項３】
請求項１記載のインスタント食品用容器の蓋体であって、
前記グリップの表面側の溝内には、溝縁から内側に突出する凸部を形成し、凸部の位置が異なる複数種類の蓋体を形成することを特徴とするインスタント食品用容器の蓋体。
【発明の詳細な説明】
【技術分野】
【０００１】
本発明は、インスタント食品用容器の蓋体、特に、容器に湯を注いで所定時間経過した後、この湯を排出して食するようなインスタント食品を収容する容器の蓋体に関するものである。
【背景技術】
【０００２】
容器に湯を注いで所定時間保持することで収容された加工食品を調理し、その後、湯を排出して食する例えば焼きそばのようなインスタント食品が提供されている。このような加工食品を収容する容器では、容器から湯のみを排出することが必要であり、人が手で蓋を押さえて容器を持って傾けて湯の排出及び湯切りを行えるように構成されているのが一般的である。
【０００３】
例えば本件出願人が特許出願した湯切り孔付き容器（特許文献１参照）は中容器に注いだ湯の排出を容易に行うことを可能とし、且つ湯の排出時に食品が流出することを防止し得るようにしたものである。この容器は図５に示すように、容器本体５１と、この容器本体５１の内部に収容される中容器（図示せず）と、容器本体５１を被蓋する蓋５２と、を有して構成されており、容器本体５１と中容器との間には空隙が形成されている。
【０００４】
また蓋５２は、周縁に連続した凹溝５３が形成されており、隅部分に湯切り部５４が形成されている。この蓋５２としては形状、デザイン共に同一のものが利用される。このため、蓋の製造ラインからインスタント食品の製造ラインに蓋を搬送する際に、多数の蓋５２を重ねることが可能となり、多数の蓋５２からなる容積を大きくすることがなく、搬送効率を上げることが可能である。
【０００５】
上記の如き湯切り孔付き容器を利用した製造ラインでは、重ねた中容器に所定の加工食品が収容された容器本体がコンベアによって連続的に搬送され、このコンベアの所定位置に多数の蓋が重ね合わされた状態で用意され、容器本体の搬送と同期して１個の蓋が供給されて装着される。その後、個別にシュリンク包装されて製造される。
【０００６】
【特許文献１】特開２００４−０３５０５３号公報
【発明の開示】
【発明が解決しようとする課題】
【０００７】
上記の如く、容器に注いだ湯を排出することが必要なインスタント食品では、円滑に且つ食品の流出をなくして湯のみを排出する必要がある。湯の排出時には容器本体を被蓋した状態を保持して行われ、手や指で容器本体の底面と蓋の周縁を押さえて容器を湯切り孔の方向に傾けることになる。
【０００８】
特許文献１の技術では、容器本体５１の底面と蓋５２の周縁を手或いは指で押さえる際に、底面側は容器本体５１と中容器との間に空隙が形成されているため、熱の伝わりが阻害されて容易に保持することが可能である。しかし、蓋側は、該蓋５２の天板が湯と直接接触し、且つ天板から周縁までが連続して一様な形状で形成されるため、湯の熱が略均等に蓋の周縁に伝わり、多少温度が上昇して保持し難くなる虞がある。
【０００９】
また蓋５２が同一の形状をしているため、重ね合わせたとき溝や凸部が嵌合してしまうことがあり、連続運転される製造ラインで重ね合わせた蓋の分離が困難となり、蓋の装着不良を発生してしまう虞も生じる。
【００１０】
本発明の目的は、容器に湯を注いだとき、湯との接触を遮断して湯切りする際に熱の伝わりを可及的に防ぐことが出来、且つ重ねたときに互いに嵌合することがない蓋体を提供することにある。
【課題を解決するための手段】
【００１１】
上記課題を解決するために本発明に係るインスタント食品用容器の蓋体は、合成樹脂シートを真空成形又は圧空成形してなるインスタント食品用容器の蓋体であって、  天板と、該天板の外周に立ち上がり、前記蓋体を容器本体に取り付けた際に該容器本体の開口縁に外嵌する立設縁と、前記容器本体の開口縁に裏面が接する天板の周縁部と、前記立設縁と平行に形成され、前記天板の表面側で溝となり裏面側で突条となる、前記蓋体を前記容器本体に取り付けた際に該容器本体の開口縁に内嵌するグリップと、前記天板の中央部と前記周縁部との間に形成されるブリッジを有して構成されるものである。
【００１２】
また上記インスタント食品用容器の蓋体に於いて、前記蓋体は長方形を有し、前記ブリッジは、少なくとも対向する２片の夫々に形成されることが好ましい。
【００１３】
更に、上記各インスタント食品用容器の蓋体に於いて、前記グリップの表面側の溝内には、溝縁から内側に突出する凸部を形成し、凸部の位置が異なる複数種類の蓋体を形成することが好ましい。
【発明の効果】
【００１４】
本発明に係る第１のインスタント食品用容器の蓋体（以下、単に「蓋体」という）では、蓋体の天板の外周に設けた立設縁と周縁部と突条とからなるグリップによって容器本体をしっかりと把持することが可能であり、該容器本体に蓋体を取り付けたとき、該蓋体が簡単に外れることがない。
【００１５】
特に、グリップの表面側の溝を跨ぐようにして天板の中央部と周縁との間に形成したブリッジは、容器本体に湯を注いだとき、湯に直接接触することがない。このため、ブリッジの温度は、天板部分と比較して低くなり、且つ周縁部の幅よりも大きい寸法とすることが出来る。従って、湯を排出する際には容器本体の底面とブリッジとを手や指で把持することによって、暑さを感じることなく、円滑な湯切りを実現することが出来る。
【００１６】
上記第２の蓋体では、長方形の容器に適用したときに有効である。
【００１７】
また第３の蓋体では、グリップの溝に凸部を形成することによって、多数の蓋体を重ね合わせた場合であっても互いに嵌合してしまうことを防止出来る。特に、凸部の位置が異なる複数種類の蓋体を形成することによって、これらの蓋体を重ねた場合であっても、個々の蓋体を確実に分離することが出来る。
【発明を実施するための最良の形態】
【００１８】
以下、本発明に係る蓋体について図を用いて説明する。図１は本発明に係る蓋体を装着したインスタント食品用容器の全体構成を説明する斜視図である。図２は蓋体を装着したインスタント食品用容器の一部を断面した図である。図３はグリップの異なる位置に凸部を設けた複数の蓋体の例を示す図である。図４は図３に示す複数の蓋体を重ねたときの凸部の位置関係を説明する図である。
【００１９】
先ず、図１，２により本発明に係る蓋体Ａを用いたインスタント食品用容器Ｂの構成について説明する。図に於いて、インスタント食品用容器Ｂは、平面形状が長方形となる容器本体１と、容器本体１に内装された中容器２と、容器本体１及び中容器２の開口部分に装着された蓋体Ａとによって構成されている。しかし、中容器２は必ずしも必要なものではなく、容器本体１のみであってもインスタント食品用容器としての機能を発揮することが可能である。このため、以後の説明で、単に「容器本体１」と記載した場合でもこの容器本体１に中容器２を含むことがある。
【００２０】
容器本体１は、容器としての機能を発揮するための立ち上がり壁１ａと、該立ち上がり壁１ａの上端部分によって規定される開口部の周縁を構成する開口縁１ｂと、該開口縁１ｂの更に外周から下向きに形成された垂下片１ｃとを有しており、開口縁１ｂ，垂下片１ｃによって開口部の剛性を発揮し得るように形成されている。
【００２１】
中容器２は加工食品を収容すると共に湯が注がれる容器であり、容器本体１に装着されたとき、該容器本体１との間に空隙（図示せず）を形成し得るような寸法を持って形成されている。中容器２の上部は、容器本体１の立ち上がり壁１ａに沿う立ち上がり壁２ａが形成されており、該立ち上がり壁２ａの上端部には容器本体１の上縁部１ｂに沿う上縁部２ｂが、更に上縁部２ｂの外周から下向きに容器本体１の垂下片１ｃに沿う垂下片２ｃが形成されている。
【００２２】
上記中容器２を容器本体１に挿入して該中容器２の上縁２ｂを容器本体１の上縁１ｂと接触させることによって、中容器２は容器本体１に装着される。このとき、中容器２の立ち上がり壁２ａは容器本体１の立ち上がり壁１ａと接触し、且つ垂下片２ｃ，１ｃどうしも互いに接触する。
【００２３】
蓋体Ａは、合成樹脂シートを熱成形（真空成形又は圧空成形）して成形されたものであり、中央に天板１１を有し、この天板１１の外周に形成され蓋体Ａを容器本体１に取り付けたとき、容器本体１の開口縁の外側（容器本体１の垂下片１ｃ及びこの垂下片１ｃに沿った垂下片２ｃの外側）に接触する立設縁となる立設片１２と、裏面が容器本体１の開口縁に接する（容器本体１の開口縁１ｂ及びこの開口縁１ｂに沿った中容器２の上縁２ｂに接する）周縁部１３と、立設片１２と平行に形成されたグリップ１４と、天板１１の中央部と周縁部１３とを結ぶブリッジ１５と、を有して形成されている。
【００２４】
グリップ１４は立設片１２と共に容器本体１に対する把持機能を発揮するものであり、立設片１２と平行に且つ該立設片１２に対し周縁部１３に設定された幅寸法隔てて形成されている。グリップ１４は前記機能を発揮し得ればよく、立設片１２と全く対応して形成される必要はない。即ち、グリップ１４は蓋体Ａに於ける要所に形成されていれば良い。
【００２５】
このため、本実施例のグリップ１４は蓋体Ａの短辺方向の各辺に夫々１個、長辺方向の各辺に夫々２個が形成されており、蓋体Ａ全体では６個のグリップ１４が形成されている。特に、長辺方向は略中央にブリッジ１５が形成されるため、該ブリッジ１５の両側に２個のグリップ１４が形成されている。即ち、本発明ではグリップ１４の数を限定するものではなく、グリップ１４の立設辺１２と共に発揮する容器本体１に対する把持機能が充分であれば良い。
【００２６】
グリップ１４は天板１１の表面側から裏面側に向けて形成された溝として構成されており、蓋体Ａを容器本体１に装着したとき、グリップ１４の容器本体１側の壁面（外部壁）１４ａが容器本体１の立ち上がり壁１ａ（中容器２の立ち上がり壁２ａ）に接触し得るように構成されている。
【００２７】
このため、蓋体Ａを容器本体１に装着したとき、外部壁１４ａと立設片１２とによって容器本体１の立ち上がり壁１ａと垂下片１ｃ（中容器２の立ち上がり壁２ａと垂下片２ｃ）とを挟むことで、容器本体１に対する把持作用を発揮させることが可能であり、これにより、蓋体Ａが容器本体１から離脱することを防止することが可能となる。
【００２８】
また蓋体Ａの周縁部１３を容器本体１の開口縁１ｂ（中容器２の開口縁２ｂ）に接触させた状態で装着したとき、グリップ１４の把持作用によって、前記周縁部１３と開口縁１ｂとの接触状態を保持して水密性を発揮させることが可能となる。このため、湯を排出する際に容器Ｂを傾けた場合であっても、開口縁１ｂから漏水することがない。
【００２９】
ブリッジ１５は蓋体Ａの周縁部１３と天板１１を結んで形成されている。即ち、ブリッジ１５は、蓋体Ａに於ける周縁部１３がその高さを保持して天板１１方向に所定寸法延長され、この延長端から天板１１とグリップ１４との接合部位に向けて傾斜し、該グリップ１４と天板１１との接合部位で天板１１に接続している。
【００３０】
従って、ブリッジ１５の表面とグリップ１４を構成する溝の底面との間には充分な高さの差が形成され、容器Ｂの内部には前記差分の空間が形成されることになる。このため、容器本体１（中容器２）に湯を注いだとき、ブリッジ１５の表面と湯面との間に略グリップ１４の深さに相当する空隙が形成されることで、ブリッジ１５に湯の熱が伝わることがなく、高い温度まで上昇することがない。またブリッジ１５の長さを人が保持するのに充分な長さとすることで、湯を排出する際に安定して保持することが可能となり、安全な湯切りを行うことが可能となる。
【００３１】
グリップ１４の外部壁１４ａには凸部１６（１６ａ〜１６ｃ）が形成されている。この凸部１６は多数の蓋体Ａを重ねたときに、互いのグリップ１４が嵌め合わされることによる分離の困難差を避けるためのものであり、凸部１６の蓋体Ａの表面側がグリップ１４を構成する溝の開放縁と略等しい面となるように、且つ蓋体Ａを表面側から見たとき、グリップ１４を構成する溝の内部に突出するように形成されている。
【００３２】
本発明に於いて、凸部１６の形状や数、或いは形成すべきグリップ１４の選択、更に、個々のグリップ１４に於ける位置等の形成上の条件は全く限定するものではなく、グリップ１４に於ける所望の位置に形成される。即ち、グリップ１４に於ける凸部の位置はランダムである。
【００３３】
グリップ１４に上記の如き凸部１６を形成することによって、蓋体Ａを重ねたとき、下側にある蓋体Ａに形成されている凸部１６の表面側が上側にある蓋体Ａに形成されているグリップ１４の底面に当接し、これにより、上側の蓋体Ａが下側の蓋体Ａに嵌め込まれることを阻止することが可能となる。
【００３４】
例えば、図３（ａ）〜（ｃ）に示すように、二つの凸部が比較的離隔した位置に形成されて構成される凸部１６ａ、二つの凸部が略接触して構成される凸部１６ｂ、二つの凸部が前記各凸部１６ａ，１６ｂの中間程度に離隔して構成される凸部１６ｃ、等が形成されている。
【００３５】
上記の如くグリップ１４に凸部１６を形成した多数の蓋体Ａを重ね合わせると、図４に示すように、各蓋体Ａに於けるグリップ１４の位置は同じであり平面的に重なるものの、グリップ１４に形成された凸部１６（例えば同図に点線で示す凸部）が上に重ねた蓋体Ａのグリップ１４の底面と接触し、上の蓋体Ａに形成されたグリップ１４が下の蓋体Ａに形成されたグリップ１４に嵌入することを阻止することが可能である。
【００３６】
従って、多数の蓋体Ａを重ねて製造ラインに供給した場合であっても、容器本体１に対して供給する際に個々の蓋体Ａを確実に分離して供給することが可能となり、蓋体Ａの供給不良に起因する包装不良の発生を防止することが可能となる。
【００３７】
尚、蓋体Ａの対向する隅部には、空気の入口穴２０と、湯の排出口２１が形成されている。
【００３８】
上記実施例では、容器本体１の平面形状を長方形とした。しかし、インスタント食品を収容する容器としては、必ずしも長方形に限定するものではなく、丸形や楕円形、或いは三角形を含む多角形であって良く、これらの形状の容器に対しても本発明の蓋体Ａを好ましく適用することが可能である。
【産業上の利用可能性】
【００３９】
本発明の蓋体Ａは、容器に収容した加工食品に湯を注いで調理した後、この湯を排出して食するようなインスタント食品、例えば焼きそばやパスタ類の容器に好ましく採用することが可能である。
【図面の簡単な説明】
【００４０】
【図１】本発明に係る蓋体を装着したインスタント食品用容器の全体構成を説明する斜視図である。
【図２】蓋体を装着したインスタント食品用容器の一部を断面した図である。
【図３】グリップの異なる位置に凸部を設けた複数の蓋体の例を示す図である。
【図４】図３に示す複数の蓋体を重ねたときの凸部の位置関係を説明する図である。
【図５】従来の容器の構成を説明する図である。
【符号の説明】
【００４１】
Ａ                              蓋体
個                              インスタント食品用容器
１                              容器本体
２                              中容器
１ａ，２ａ                      立ち上がり壁
１ｂ，２ｂ                      開口縁
１ｃ，２ｃ                      垂下片
１１                            天板
１２                            立設片
１３                            周縁部
１４                            グリップ
１４ａ                          外部壁
１５                            ブリッジ
１６（１６ａ〜１６ｃ）          凸部
２０                            空気の入口穴
２１                            湯の排出口
【図１】
2005280732.tif 000003
【図２】
2005280732.tif 000004
【図３】
2005280732.tif 000005
【図４】
2005280732.tif 000006
【図５】
2005280732.tif 000007